(57)【要約】      （修正有）【課題】グリーストラップに貯留された油の除去を効率的に行うことができる油吸着用不織布、油吸着用柱状不織布又は油吸着用部材を提供する。【解決手段】油吸着用不織布１０は、繊維を含む柱状の不織布１２を複数備え、柱状の不織布１２が、繊維により幅方向に連結されている。【選択図】図１
0003215790.tif 000002
【実用新案登録請求の範囲】
【請求項１】
繊維を含む柱状の不織布を複数備え、
前記柱状の不織布が、前記繊維により幅方向に連結されている
油吸着用不織布。
【請求項２】
前記柱状の不織布における長手方向の長さ／円相当径で表されるアスペクト比が５〜５００である請求項１に記載の油吸着用不織布。
【請求項３】
前記柱状の不織布の長手方向の長さが５０ｍｍ〜２，０００ｍｍである、請求項１又は請求項２に記載の油吸着用不織布。
【請求項４】
前記柱状の不織布に含まれる繊維の平均繊維径が１μｍ〜８０μｍである、請求項１〜請求項３のいずれか１項に記載の油吸着用不織布。
【請求項５】
前記柱状の不織布のかさ密度が１０ｋｇ／ｍ３〜４００ｋｇ／ｍ３である請求項１〜請求項４のいずれか１項に記載の油吸着用不織布。
【請求項６】
請求項１〜請求項５のいずれか１項に記載の油吸着用不織布から分離された柱状の不織布である油吸着用柱状不織布。
【請求項７】
請求項１〜請求項５のいずれか１項に記載の油吸着用不織布及び請求項６に記載の油吸着用柱状不織布よりなる群から選ばれる少なくとも１種と、
結束部材と、を備え、
前記油吸着用不織布及び前記油吸着用柱状不織布からなる群より選ばれる少なくとも１種が前記結束部材により結束されている、油吸着用部材。
【考案の詳細な説明】
【技術分野】
【０００１】
本考案は、新しい構造の油吸着用不織布、油吸着用柱状不織布及び油吸着用部材に関する。
【背景技術】
【０００２】
環境汚染の防止等のため、ショッピングモールや飲食店等の設備内には、排水中から油を除去することを目的としてグリーストラップ（グリース阻集器）が設けられている場合がある。
グリーストラップは、その内部に隔壁を設けて流入してくる排水の速度を落とし、水と油の比重により排水中に含まれる油を阻集できる構造であることが多い。分離された油は、グリーストラップ内の特定の部位に浮き上がり、グリーストラップ内に留め置かれる。
グリーストラップ内に留め置かれた油は、悪臭や微生物増殖の原因となり得る。また、油が溜まりすぎてしまい、系外に流出すると、環境汚染や下水処理設備への過剰負荷の原因とも成り得る。そのため、グリーストラップ内に留め置かれた油は、定期的に除去する必要がある。
グリーストラップに貯留された油の除去のため、例えば、不織布状の油吸着体をグリーストラップ内に投入して油を吸着させて除去を行う場合がある。
このような不織布状の油吸着体としては、例えば特許文献１又は特許文献２に記載のものが知られている。
【０００３】
特許文献１には、紙の繊維にワックスがコーティングされた繊維状材料に、液体を、前記繊維状材料５００ｇ当たり２０ｇ以上８０ｇ以下の範囲内で含ませたことを特徴とする油吸着体が記載されている。
特許文献２には、少なくとも１層のポリプロピレン系樹脂製綿層（Ａ）と少なくとも１層の特定目付のポリプロピレン系樹脂製不織布層（Ｂ）積層された油吸着シートで油吸着シートの厚み（ｔ：ｍｍ）と油吸着シートの目付（Ｍ：ｇ／ｍ2）との比が７７〜９０であることを特徴とするグリース阻集器用油吸着シートが記載されている。
【先行技術文献】
【特許文献】
【０００４】
【特許文献１】特開２０１６−１５９２８４号公報
【特許文献２】特開２００２−３４６３８０号公報
【考案の概要】
【考案が解決しようとする課題】
【０００５】
しかしながら、特許文献１に記載のような繊維状材料をグリーストラップ内に投入した場合には、油の吸着後に繊維状材料をかき集めるのに時間がかかり、作業の効率に劣る場合があった。
また、特許文献２に記載のようなシート状の材料をグリーストラップ内に投入した場合には、シートのサイズとグリーストラップのサイズとが必ずしも一致せず、端に溜まった油の除去が困難である場合があった。更に、端に溜まった油を回収しようとしても、シート状の材料を動かしにくく、作業の効率に劣る場合があった。
【０００６】
本考案は上記に鑑みなされたものであり、グリーストラップに貯留された油の除去を効率的に行うことができる油吸着用不織布、油吸着用柱状不織布又は油吸着用部材を提供することを目的とし、該目的を達成することを課題とする。
【課題を解決するための手段】
【０００７】
上記課題を解決するための手段には、以下の態様が含まれる。
＜１＞  繊維を含む柱状の不織布を複数備え、
前記柱状の不織布が、前記繊維により幅方向に連結されている
油吸着用不織布。
＜２＞  前記柱状の不織布における長手方向の長さ／円相当径で表されるアスペクト比が５〜５００である前記＜１＞に記載の油吸着用不織布。
＜３＞  前記柱状の不織布の長手方向の長さが５０ｍｍ〜２，０００ｍｍである、前記＜１＞又は＜２＞に記載の油吸着用不織布。
＜４＞  前記柱状の不織布に含まれる繊維の平均繊維径が１μｍ〜８０μｍである、前記＜１＞〜＜３＞のいずれか１つに記載の油吸着用不織布。
＜５＞  前記柱状の不織布のかさ密度が１０ｋｇ／ｍ３〜４００ｋｇ／ｍ３である前記＜１＞〜＜４＞のいずれか１つに記載の油吸着用不織布。
＜６＞  前記＜１＞〜＜５＞のいずれか１つに記載の油吸着用不織布にから分離された柱状の不織布である油吸着用柱状不織布。
＜７＞  前記＜１＞〜＜５＞のいずれか１つに記載の油吸着用不織布及び前記＜６＞に記載の油吸着用柱状不織布よりなる群から選ばれる少なくとも１種と、
結束部材と、を備え、
前記油吸着用不織布及び前記油吸着用柱状不織布からなる群より選ばれる少なくとも１種が前記結束部材により結束されている、油吸着用部材。
【考案の効果】
【０００８】
本考案によれば、グリーストラップに貯留された油の除去を効率的に行うことができる油吸着用不織布、油吸着用柱状不織布又は油吸着用部材を提供することができる。
【図面の簡単な説明】
【０００９】
【図１】本開示に係る油吸着用不織布の構成例を示す概略図である。
【図２】本開示に係る油吸着用不織布における柱状の不織布の連結部を拡大した拡大写真である。
【図３】本開示に係る油吸着用部材の構成例を示す概略図である。
【考案を実施するための形態】
【００１０】
（油吸着用不織布）
本開示に係る油吸着用不織布は、繊維を含む柱状の不織布を複数備え、前記柱状の不織布が、前記繊維により幅方向に連結されている。
以下、本開示に係る油吸着用不織布について、図１及び図２を参照して具体的に説明する。
また、本開示において「油」とは、特段の記載がない限り、液体状の油と固体状の油の両方を指す語として用いる。
【００１１】
図１は、本開示に係る油吸着用不織布の構成例を示す概略図である。
図１に示すように、油吸着用不織布１０は、繊維を含む柱状の不織布１２を複数備え、前記柱状の不織布１２が、前記繊維により幅方向に連結されている。
柱状の不織布１２の連結部は、柱状の不織布１２に含まれる繊維が絡合することにより連結されている。
【００１２】
図２は、油吸着用不織布１０における柱状の不織布１２の連結部を拡大した拡大写真である。連結部１４において、２つの柱状の不織布１２が、繊維が絡合することにより連結されている。
連結部は、強固に連結されている必要はなく、油吸着用不織布１０の輸送時及び保管時に連結が維持される程度に弱く連結されていればよい。このような態様によれば、複数の柱状の不織布１２が分離しにくく、取扱いがしやすいという利点がある。
また、柱状の不織布１２を、連結された別の柱状の不織布１２から分離したい場合に、例えば手で引き裂くことにより、ある柱状の不織布１２と、それと連結した別の柱状の不織布１２とが分離可能である程度に弱く連結されていればよい。このような態様によれば、油吸収用不織布１０の幅方向における任意の位置で柱状の不織布１２同士を分離して、油吸着用不織布１０の大きさを調整することが可能となる、必要に応じて１本の柱状の不織布１２のみを分離して使用することが可能となる、等の利点がある。
【００１３】
柱状の不織布１２は、その少なくとも一部の領域において隣り合う別の柱状の不織布１２と連結されていればよいが、柱状の不織布１２の長手方向の長さの全体に対し、幅方向に１％以上１００％以下が連結されていることが好ましく、幅方向に１０％以上９９％以下が連結されていることがより好ましく、幅方向に２０％以上９５％以下が連結されていることが更に好ましい。
本開示において、柱状の不織布１２の長手方向の長さの全体に対し、幅方向に１％以上１００％以下が連結されているとは、柱状の不織布１２の長手方向の長さの算術平均値に対し、隣り合う別の柱状の不織布１２と連結されている部分の合計長さの算術平均値の割合が１％以上１００％以下であることをいう。上記連結されている部分の確認は油吸着用不織布１０を目視にて観察することにより可能である。また、上記割合の測定は、例えば、油吸着用不織布１０に含まれる柱状の不織布１２のうち、無作為に抽出した２０本の柱状の不織布１２に対して測定を行い、長手方向の長さの算術平均値及び隣り合う別の柱状の不織布１２と連結されている部分の合計長さの算術平均値を算出することにより求められる。
本開示において「連結されている」とは、繊維の結合が確認できた部分から５ｍｍ以内に、他の結合が確認できることをいう。
【００１４】
図１においては、柱状の不織布１２が１層となるように連結されているが、複数層となるように複数の柱状の不織布１２が重なりながら連結されていてもよい。具体的には、ある柱状の不織布１２は、隣り合う２本の他の柱状の不織布１２と連結されていてもよいし、３本以上の不織布１２と連結されていてもよい。
すなわち、柱状の不織布１２は少なくとも幅方向に連結されていればよく、油吸着用不織布１０における厚さ方向に更に連結されていてもよい。
【００１５】
本開示に係る油吸着用不織布１０は、油の吸着量を増加する観点及び作業性の向上の観点から、柱状の不織布１２を２本以上含むことが好ましく、５本〜２００本含むことがより好ましく、１０本〜１００本含むことがより好ましい。
【００１６】
＜柱状の不織布１２＞
〔形状〕
柱状の不織布１２の形状は、柱状であれば特に限定されないが、油の吸着量を増加する観点から、柱状の不織布１２における長手方向の長さ／円相当径で表されるアスペクト比が５〜５００であることが好ましく、２０〜２００であることがより好ましい。
上記アスペクト比は、例えば、油吸着用不織布１０に含まれる柱状の不織布１２のうち、無作為に抽出した２０本の柱状の不織布１２に対して測定を行い、長手方向の長さの算術平均値及び円相当径の算術平均値を算出することにより求められる。本開示において柱状の不織布１２の円相当径とは、柱状の不織布１２における長手方向に直行する方向の断面における断面積の最大値と同じ面積の円の直径を意味する。
【００１７】
柱状の不織布１２の長手方向の長さは、５０ｍｍ〜２，０００ｍｍであることが好ましく、１００ｍｍ〜１,０００ｍｍであることがより好ましく、４００ｍｍ〜８００ｍｍであることが更に好ましい。
５０ｍｍ以上であると、グリーストラップ内から回収する際の操作性に優れるため好ましい。
また、２，０００ｍｍ以下であると、グリーストラップ内で動かしやすくなり、作業性に優れるため好ましい。
【００１８】
柱状の不織布１２の長手方向に直行する方向の断面における円相当径は、０．５ｍｍ〜５０ｍｍであることが好ましく、１ｍｍ〜３０ｍｍであることがより好ましく、２ｍｍ〜２０ｍｍであることが更に好ましい。２ｍｍ〜１０ｍｍであることが特に好ましい。
０．５ｍｍ以上であると、使用時に強度が保たれており、油を吸着した後に油の重量により変形して千切れるおそれが少ないため、好ましい。
また、５０ｍｍ以下であると、グリーストラップ内で動かしやすくなり作業性に優れるとともに、表面積が増えるため油の吸着速度が速くなり、油の吸着量が増加するため、好ましい。
【００１９】
柱状の不織布１２の断面形状は、特に限定されず、円形状であっても、多角形状であっても、その他の形状であってもよく、特に限定されないが、製造適性上の観点からは、円形状又は多角形状であることが好ましく、四角形状であることがより好ましく、長方形状又は正方形状であることが更に好ましい。
柱状の不織布１２は不織布であるため、例えば、柱状の不織布１２の断面形状が四角形状であるとは、断面形状が正確に四角形状であるわけではなく、略四角形状であればよい。
【００２０】
油吸着用不織布１０において、複数の柱状の不織布１２が、１層となるように連結されている場合、複数の柱状の不織布１２により形成される面における柱状の不織布１２の幅方向の長さ（複数の柱状の不織布１２により形成される面上における、柱状の不織布１２の長手方向に直行する方向の長さ）は、５ｃｍ以上１０ｍ以下であることが好ましく、１０ｃｍ以上５ｍ以下であることがより好ましく、３０ｃｍ以上２ｍ以下であることが更に好ましい。幅方向の長さが上記範囲内であると製造しやすく、かつ、使用しやすいため好ましい。なお、幅方向の長さが長いもの、例えば１０ｍを超えるロール状に巻いたものを準備し、使用するその場で、適当な幅にカットして使用することも可能である。
また、油吸着用不織布１０において、複数の柱状の不織布１２が、１層となるように連結されている場合の油吸着用不織布１０の厚さ（複数の柱状の不織布１２により形成される面に直行する方向の長さ）は、０．５ｍｍ以上５０ｍｍ以下であることが好ましく、１ｍｍ以上３０ｍｍ以下であることがより好ましく、２ｍｍ以上２０ｍｍ以下であることが更に好ましい。厚みが上記範囲内であると、製造しやすく、かつ、使用しやすいため好ましい。
【００２１】
〔繊維〕
柱状の不織布１２は繊維を含み、繊維からなる不織布であることが好ましい。
柱状の不織布１２における繊維の平均繊維径は、油の吸着量の観点から、１μｍ〜８０μｍであることが好ましく、５μｍ〜５０μｍであることがより好ましく、１０μｍ〜４０μｍであることが更に好ましい。
繊維の平均繊維径は、不織布の電子顕微鏡写真（倍率１０００倍）から、任意の１００本の不織布繊維を選択し、選択した繊維の直径を測定し、その平均値をいう。
【００２２】
柱状の不織布１２における繊維の材質としては、特に限定されないが、ポリオレフィン、ポリアミド、ポリエステル、ポリスチレンが挙げられる。これらの中でも、油の吸着量の観点からはポリオレフィンが好ましい。
ポリオレフィンとしては、エチレン、プロピレン、ブテン、ペンテン、ヘキセン、オクテン、デセン、４−メチル−１−ペンテンなどのオレフィン等の単独重合体、または２種以上のオレフィンの共重合体が挙げられる。また、上記ポリオレフィンは、上記オレフィン以外に、スチレンに由来する構成単位を含んでもよい。
これらの中でも、油の吸着量の観点からは、ポリオレフィンの単独重合体が好ましく、ポリエチレン又はポリプロピレンがより好ましい。
【００２３】
柱状の不織布１２のかさ密度は、油の吸着量の観点から、１０ｋｇ／ｍ３〜４００ｋｇ／ｍ３であることが好ましく、２０ｋｇ／ｍ３〜２００ｋｇ／ｍ３であることがより好ましく、５０ｋｇ／ｍ３〜１５０ｋｇ／ｍ３であることが更に好ましい。
柱状の不織布１２のかさ密度は、不織布の目付（ｇ／ｍ２）／不織布の乾燥時厚み（ｍｍ）×１０−３として算出される。
柱状の不織布１２の目付（単位面積当たりの質量）は５０ｇ／ｍ２〜１０００ｇ／ｍ２であることが好ましく、１００ｇ／ｍ２〜８００ｋｇ／ｍ２であることがより好ましい。
柱状の不織布１２の目付及び乾燥時厚みは、次のようにして求める。
乾燥された柱状の不織布１２を複数準備する。柱状の不織布１２が連結されている場合には柱状の不織布１２同士の隙間をなくし、連結されていない場合には柱状の不織布１２同士を隙間が無いように並べ、縦１００ｍｍ×横１００ｍｍの大きさとした測定用試料を１０点作成する。なお、余分が生じた場合には切断する。測定用試料１０点の重さを測定し、１点あたりの重さの平均値を算出し、単位面積当たりの質量に換算し、柱状の不織布１２の目付を求める。
次いで、測定用試料ごとに、測定用試料の中央及び四隅の合計５点の厚みを測定する。合計５０点の厚みから厚みの平均値を算出し、柱状の不織布１２の厚みとする。なお、厚みを測定する際の荷重は、７ｇｆ／ｃｍ２とする。
【００２４】
以上、本開示に係る油吸着用不織布１０について、図１及び図２を参照して説明したが、本開示に係る油吸着用不織布１０はこれらの実施形態に限定されることはない。
例えば、本開示に係る油吸着用不織布１０は、上記以外の部材を更に備えていてもよい。
【００２５】
（油吸着用不織布の製造方法）
本開示に係る油吸着用不織布１０の製造方法は特に制限されない。例えば、ロール状またはシート状の不織布を切断刃で、完全に分断しない程度に切断することで製造できる。刃の種別や切れ込みの深さを調整することで、完全に分断せず、複数の柱状の不織布１２が連結した状態を形成することが可能である。刃の種別や切れ込みの深さは、シート状の不織布の材質、厚み、目付に応じて変更すればよい。油吸着用不織布１０の寸法を所望の寸法にするには、完全に分断しない程度に切断する前に所望の寸法に切断しておいてもよく、完全に分断しない程度に切断した後に所望の寸法に切断してもよい。なお、不織布の繊維配向に対し、並行に切断した方が、柱状の不織布の強度が高くなり、油を吸着させる際に柱状の不織布が破断しにくくなり好ましい。
【００２６】
シート状の不織布としては、スパンボンド法、カード法、エアレイド法など種々公知の方法で製造したシート状の不織布を用いることができる。繊維どうしの交絡方法としては、熱エンボス加工法、超音波融着等の熱融着法、ホットエアによる熱融着法、ニードルパンチ法、ウォータージェット等の機械的交絡法、ホットメルト接着剤やウレタン系接着剤等の接着剤による方法、押出しラミネート法などの種々公知の方法を採用することができる。嵩高い不織布を得るためには、スパンボンド法とニードルパンチ法の組み合わせ、スパンボンド法とウォータージェット交絡法の組み合わせ、スパンボンド法とエアスルーによる熱融着法の組み合わせ、エアレイド法が好ましい。
【００２７】
（油吸着用柱状不織布）
本開示に係る油吸着用柱状不織布は、本開示に係る油吸着用不織布１０から分離された柱状の不織布１２である。すなわち、本開示に係る油吸着用柱状不織布は、油吸着用不織布１０に含まれる柱状の不織布１２のうち１本のみを分離したものである。
本開示に係る油吸着用柱状不織布は、上記以外の部材を更に備えていてもよい。
【００２８】
（油吸着用部材）
本開示に係る油吸着用部材は、本開示に係る油吸着用不織布１０及び油吸着用柱状不織布よりなる群から選ばれる少なくとも１種と、結束部材と、を備え、油吸着用不織布１０が前記結束部材により結束されている。
油吸着用部材は、油吸着用不織布１０及び油吸着用柱状不織布からなる群より選ばれる少なくとも１種を、結束部材を用いて結束することにより得られる。
【００２９】
本開示に係る油吸着用部材について、図３を参照して具体的に説明する。
図３は本開示に係る油吸着用部材の構成例を示す概略図である。
図３には、油吸着用部材２０は、油吸着用不織布１０における複数の柱状の不織布１２が、結束部材１６により結束部１８において結束されている態様が記載されている。
油吸着用部材２０によれば、複数の柱状の不織布１２を結束部材１６により結束することにより、グリーストラップ内で複数の柱状の不織布１２が分離することが防がれる。
また、油吸着用部材２０は、図３に示したように、結束部材１６の一部を手等により把持し、結束部材１６を操作することによりグリーストラップ内を容易に動かすことができる。また、油の吸着後には結束部材１６を引っ張ることにより油吸着用部材２０をグリーストラップから回収し、グリーストラップから油が除去されるため、作業性に優れるという利点を有している。
【００３０】
本開示に係る油吸着用部材を構成する不織布は、本開示の油吸着用不織布及び本開示の油吸着用柱状不織布からなる群より選ばれる少なくとも１種であればよい。すなわち、油吸着用不織布と油吸着用柱状不織布のいずれか一方または両方を含んでいればよい。
また、油吸着用不織布及び油吸着用柱状不織布は、複数含んでいてもよい。
本開示に係る油吸着用部材は、下記（１）〜（３）のいずれかの態様であることが好ましい。
（１）１以上の油吸着用不織布が結束された態様。
（２）２以上の油吸着用柱状不織布が結束された態様。
（３）１以上の油吸着用不織布と、１以上の油吸着用柱状不織布とが結束された態様。
上記（１）〜（３）のいずれかの態様であれば、油の吸着量に優れ、また、結束することにより作業性が向上する。
【００３１】
本開示に係る油吸着用部材における柱状の不織布の本数は、グリーストラップの大きさ、吸着すべき油の量、油吸着後の重量に応じて適宜選択すればよいが、例えば、５本〜１００本が挙げられる。なお、本段落において柱状の不織布の本数とは、油吸着用不織布における柱状の不織布及び油吸着用柱状不織布の合計の本数である。
【００３２】
結束部材１６としては、複数の柱状の不織布１２が結束される部材であれば特に制限されないが、ひも状の部材であることが好ましく、例えば、ビニールひも、凧糸等が挙げられる。
結束部１８の位置としては、複数の柱状の不織布１２の端部以外の位置であればよいが、例えば、図３に示したように複数の柱状の不織布１２の中央付近の位置が挙げられる。
結束方法は、特に限定されず、グリーストラップ内での使用時において結束が解けない程度に結束されていればよい。例えば、結束部材１６を油吸着用不織布１０に結び付ける方法が挙げられる。また、図３に示したように、結束部材１６の一部が把持可能となるように結束することが好ましい。
結束部材１６の端部から結束部１８までの長さは、作業性を良好にする観点から、３０ｃｍ〜２００ｃｍであることが好ましく、５０ｃｍ〜１５０ｃｍであることがより好ましい。
また、図３中には結束部材１６及び結束部１８がいずれも１つのみである態様を記載しているが、油吸着用不織布２０は、複数の結束部材１６を備えていてもよいし、１つの結束部材１６における結束部１８が複数であってもよい。
結束方法は特に制限されないが、例えば、結束部材１６を公知の方法で結んで結束すればよい。
【００３３】
以上、油吸着用部材２０について、図３を参照して説明したが、上記第二の態様に係る油吸着用部材はこれらの実施形態に限定されることはない。
例えば、上記第二の態様に係る油吸着用部材２０は、上記以外の部材を更に備えていてもよい。
【符号の説明】
【００３４】
１０・・・油吸着用不織布
１２・・・柱状の不織布
１４・・・連結部
１６・・・結束部材
１８・・・結束部
２０・・・油吸着用部材
【図１】
0003215790.tif 000003
【図２】
0003215790.tif 000004
【図３】
0003215790.tif 000005